(57)【要約】【課題】  カードの静電気帯電対策としてコネクタにグランド接続部材を設けて対策する方法において、接触信頼性を大幅に向上することができ、また、各実装高さについて柔軟に対応できるコネクタとそれを用いた電子カードとを提供すること。【解決手段】  電子カードに用いられるコネクタ１０において、グランド接続端子５と、コンタクト４と、これらを保持するハウジング２とを有する。グランド接続端子５は、ケースに接続される接触部と、前記ハウジング２の保持部に保持される圧入部と、前記基板と接続する端子部とを有する。前記ハウジング２はガイド部３ｂを有し、前記グランド接続端子５を前記ハウジングに圧入する際、前記接触部は、前記ガイド部３ｂにガイドされ、且つ前記ケースと接続する際、前記接触部は前記ガイド部内で弾性変位する。電子カードはこのコネクタ１０を用いている。【選択図】      図２
2007048684.tif 000002
【特許請求の範囲】
【請求項１】
基板と、前記基板を収容するケースとを備えた電子カードに用いられるコネクタにおいて、
前記コネクタは、グランド接続端子と、コンタクトと、これらを保持するハウジングとを有し、
前記グランド接続端子は、前記ケースに接続される接触部と、前記ハウジングの保持部に保持される圧入部と、前記基板と接続する端子部とを有し、
前記ハウジングはガイド部を有し、前記グランド接続端子を前記ハウジングに圧入する際、前記接触部は、前記ガイド部にガイドされ、且つ前記ケースと接続する際、前記接触部は前記ガイド部内で弾性変位することを特徴とするコネクタ。
【請求項２】
請求項１に記載のコネクタにおいて、前記グランド接続端子はプレス打ち抜きによって平板から形成されたバネ部を備え、前記バネ部は前記ハウジングの前記ガイド部によってガイドされていることを特徴とするコネクタ。
【請求項３】
請求項１または２に記載のコネクタにおいて、前記グランド接続端子の前記端子部の前記基板への実装部はプレス打ち抜き破断面であることを特徴とするコネクタ。
【請求項４】
請求項１乃至３の内のいずれか１つに記載のコネクタにおいて、前記グランド接続端子の前記接触部は、プレス抜き破断面であり、先鋭な形状であることを特徴とするコネクタ。
【請求項５】
請求項１乃至４の内のいずれか１つに記載のコネクタを備えたことを特徴とする電子カード。
【発明の詳細な説明】
【技術分野】
【０００１】
本発明は、ＰＣカードやＥｘｐｒｅｓｓ（エキスプレス）カード等の電子カードに用いられるコネクタに関し、詳しくは、静電対策を施したコネクタに関する。
【背景技術】
【０００２】
従来、この種の電子カードに用いられるコネクタとしては、特許文献１に示すものがある。図５は特許文献１に示された従来の電子カードの分解斜視図である。図６は図５の電子カードに用いられるコネクタの斜視図、図７は図６のコネクタの側面図、図８は図５の電子カードの内部背面図である。
【０００３】
従来は図５に示す電子カード１１０に静電気が帯電することの対策として、図６で示すように、コネクタ５０にグランド接続端子５１，５１を備えている。このグランド接続端子５１は上下カバー２０，３０とプリント基板４０とを電気的に接続し、静電気をプリント基板４０のグランドに逃がす構成である。
【０００４】
しかしながら、コネクタ５０のグランド接続端子５１はプレス曲げコンタクトであったために、接触力を十分に高くすることができなかった。
【０００５】
また、図８に示すように、接触部の曲げ部５２，５３及びばね部周辺にはガイドを有さないために組み立て工程のばらつき、衝撃などの際に、接触方向、即ち、カードの厚み方向以外にも変形する可能性がある。
【０００６】
さらに、接触部の曲げ部５２，５３の平らな面で上下カバー２０，３０に接触するために、上下カバー２０，３０の表面に酸化膜等が生じた場合には、この酸化膜の上からの接触となり、接触不良の原因となる。
【０００７】
上述の問題から、従来技術によるコネクタ５０は、グランド接続の接触信頼性、安定性に不安があった。また、プリント基板４０への実装高さ変更、即ち、カードの厚み方向の位置変更があった場合、グランド用部材のＳＭＴ半田付け部５４についてプレス曲げ工程、抜き工程の変更が必要になり、改造の手間とコストがかさんだ。
【０００８】
【特許文献１】特許第３２５２２５７号
【発明の開示】
【発明が解決しようとする課題】
【０００９】
そこで、本発明の技術的課題は、コネクタに関して、カードの静電気帯電対策としてコネクタにグランド接続部材を設けて対策する方法において、接触信頼性を大幅に向上することができ、また、各実装高さについて柔軟に対応できるコネクタとそれを用いた電子カードとを提供することにある。
【課題を解決するための手段】
【００１０】
本発明によれば、基板と、前記基板を収容するケースとを備えた電子カードに用いられるコネクタにおいて、前記コネクタは、グランド接続端子と、コンタクトと、これらを保持するハウジングとを有し、前記グランド接続端子は、前記ケースに接続される接触部と、前記ハウジングの保持部に保持される圧入部と、前記基板と接続する端子部とを有し、前記ハウジングはガイド部を有し、前記グランド接続端子を前記ハウジングに圧入する際、前記接触部は、前記ガイド部にガイドされ、且つ前記ケースと接続する際、前記接触部は前記ガイド部内で弾性変位することを特徴とするコネクタが得られる。
【００１１】
また、本発明によれば、前記コネクタにおいて、前記グランド接続端子はプレス打ち抜きによって平板から形成されたバネ部を備え、前記バネ部は前記ハウジングのガイド部によってガイドされていることを特徴とするコネクタが得られる。
【００１２】
また、本発明によれば、前記いずれか一つのコネクタにおいて、前記グランド接続端子の端子部の前記基板への実装部はプレス打ち抜き破断面であることを特徴とするコネクタが得られる。
【００１３】
また、本発明によれば、前記いずれか１つのコネクタにおいて、前記グランド接続端子の接触部は、プレス抜き破断面であり、先鋭な形状であることを特徴とするコネクタが得られる。
【００１４】
また、本発明によれば、前記コネクタを備えたことを特徴とする電子カードが得られる。
【発明の効果】
【００１５】
本発明では、グランド接続端子は、プレス打ち抜きで形成されたバネ定数の高いバネ部を有しているため、充分な接触力で、上下カバーに接触できるようになり、常に確実にカバーに帯電した静電気をプリント基板のグランドに逃がすことができる。
【００１６】
また、本発明では、カバーとプリント基板とを電気的に接続するプレス打ち抜きで製作されたばね性を備えた接触部を持ち、ガイド部に沿って常に安定した弾性変位するグランド接続端子をコネクタに設けるようにしたために、カバー接触部表面の状態や製造工程でのバラツキに影響されることなく、常に確実にカバーに帯電した静電気を基板のグランドに逃がすことができる。
【００１７】
さらに、本発明では、グランド接続端子は、プレス打ち抜きで形成された先鋭な形状の破断面であるため、酸化膜等の影響を受けることなく、確実に電気的接続ができるコネクタを提供することができる。
【００１８】
また、コネクタにおいて、基板に対する実装高さがしばしば変更されることがあるが、本発明のグランド接続端子では、基板への半田付け部がプレス打ち抜きの破断面で形成されており、プレス打ち抜き形状の変更のみで対応できるため、改造の手間及びコストが軽減される。
【００１９】
さらに、本発明では上記利点を備えた電子カードを提供することができる。
【発明を実施するための最良の形態】
【００２０】
以下、本発明の実施の形態について図面を参照しながら説明する。
【００２１】
図１は本発明の実施の形態によるコネクタを用いた電子カードの分解組立斜視図、図２は本発明の実施の形態によるコネクタの分解斜視図、図３は図１のコネクタのプリント基板を示す部分平面図、図４は図２のコネクタのグランド接続端子の圧入部を主に示す部分断面図である。ここで、説明の便宜上、図１の電子カードの左側を正面、右側のコネクタがある側を背面と呼ぶ。
【００２２】
図１を参照すると、電子カード１０１は、コネクタ１０と、金属製の上カバー２０と、絶縁性の正面板を備えた金属製の下カバー３０と、プリント基板４０と、を備えている。コネクタ１０は、上カバー２０及び下カバー３０、及びプリント基板４０と組み込まれ電子カード１０１となる。金属製の上カバー２０は断面Ｕ字形状で、上面部２１とその両側の側板２２，２２とを備え、上面部２１には、窪んだラベル添付平面部２３を備えている。
【００２３】
また、下カバー３０は、正面板３１と、底面部３４と、側板３２とを備えている。底面部３４には、内側に窪んだ平面部３５を備え、底面部３４から段をなして上部に設けられた台部３４ａと、正面より両側に装着されるプリント基板４０の位置決めのための一対の位置決め片３６を備えている。また、正面板３１の正面側の両側には、窪み部３１ａを備えている。
【００２４】
図２に示すように、コネクタ１０は、板状の背面板１を外側に備えたハウジング２と、ハウジングの両側に設けられた突出片３と、ハウジング２の正面側（内側）に植設され、カードの幅方向、即ち、図２では左右方向に、並設されたコンタクト４と、グランド接続端子（以下、グランドラグと呼ぶ）５とで形成されている。この例においては、コンタクト４は信号用であり、プリント基板４０のパッド４１に半田付けされる。ハウジング２の突出片３の上下側及び内側には、夫々ガイド部として溝３ｂがグランドラグ5の保持部として溝３ａが設けられている。
【００２５】
図３に示すように、プリント基板４０の一端の表面には、コンタクト４に対応した数の信号用のパッド４１が設けられ、さらにその外側にグランド用のパッド４２が設けられている。グランド用のパッド４２は、グランドラグ５の半田付け部５ｅに半田付けされる。
【００２６】
図４に示すように、グランドラグ５は、一枚の金属板のプレス打ち抜きによって形成されている。グランドラグ５は、基部５ｇから、圧入部５ａと、その両側に設けられたバネ部５ｄ，５ｄとによって３個に分岐され、バネ部５ｄ，５ｄは、さらに、圧入部５ａと平行に、一側に並んで延びて、その先端がさらに、圧入部５ａの先端よりも延びて接触部５ｂ，５ｃとなっている。この基部５ｇから、圧入部５ａと接触部５ｂ，５ｃとは、反対側に端子部５ｆが延びて、その下面がプリント基板のグランドパッド４２に半田付けされる半田付け端子部５ｅとなる。
【００２７】
図２に最も良く示されるように、ハウジング２の両側に配置されるグランドラグ５は、信号用のコンタクト４の両側に位置する。そして、グランドラグ５の圧入部５ａがハウジング２の両側の内側に設けられた溝３ａに圧入され、固定される。また、グランドラグの接触部５ｂ，５ｃはハウジング２の両側の上下のガイド部である溝３ｂ内に位置し、この中でカードの厚み方向に自由に動くことができる。
【００２８】
また、グランドラグ５の接触部５ｂ，５ｃ及びバネ部５ｄは、ハウジング２の溝３ｂにガイドされており、接触方向（電子カード厚み方向）へは、変位し、接続方向と直交する方向への変形を防止する構造となっているため、カード組立工程でのバラツキや衝撃を受けた際にも、常に理想的なバネ変形をし、安定した接触力を得ることが可能である。
【００２９】
図４を再び参照すると、半田付け部５ｅの下面は、プリント基板４０のグランドパッド４２に半田付けされる。グランドラグ５の接触部５ｂは上カバー２０に接触部５ｃは下カバー３０に夫々接触し、バネ力によってカード厚み方向で内側から外側に向かって押し付けられる。この際、プレス打ち抜きによって形成されたグランドラグ５は、高いバネ定数を有し、充分な接触力で、上下カバー２０，３０にそれぞれ接触させることができるため、接触信頼性が高い。
【００３０】
また、接触部５ｂ，５ｃにおいて、実際にカバー２０，３０に接触する部分は、プレス打ち抜きで形成された破断面であり、さらに先鋭な形状であるため、カバー２０，３０側の接触部に酸化膜等が生じた場合でも、酸化膜の影響を受けることなく、確実に電気接続を行える。
【００３１】
また、半田付け部５ｅにおいても、プレス打ち抜き破断面がプリント基板４０との接触面となっているため、カード厚み方向での実装高さが変更になった場合でもプレス打ち抜き形状のみの変更でパッドとの接触面位置を変更できるため、プレス金型改造の手間とコストを軽減できる構造となっている。
【００３２】
このように本発明の実施の形態においては、上下カバー２０，３０とプリント基板４０とを電気的に接続するプレス打ち抜きで製作された高いばね定数かつ先鋭な接触部を持ち、ガイド部に沿って常に安定した変形するグランド接続端子（グランドラグ）５をコネクタ１０に設けるようにしたために、カバーの接触部５ｂ，５ｃに接触する表面の状態や製造工程でのバラツキに影響されることなく、常に確実にカバーに帯電した静電気をプリント基板のグランドに逃がすことができる。
【００３３】
また、一般に、コネクタにおいては、プリント基板４０に対する実装高さがしばしば変更されることがあるが、本発明の実施の形態によるコネクタ１０のグランド接続端子（グランドラグ）５では、プリント基板４０への半田付け部５ｅの接触面がプレス打ち抜きの破断面で形成されており、端子部５ｆの幅方向（図４の紙面での上下方向）の厚さを変更して半田付け部５ｅの位置を変える、即ち、プレス打ち抜き形状の変更のみで対応できるため、改造の手間及びコストが軽減される。
【産業上の利用可能性】
【００３４】
以上説明したように、本発明に係るコネクタは、ノート型等のパーソナルコンピュータのＰＣカードやエキスプレス（Ｅｘｐｒｅｓｓ）カード等の電子カードに適用される。
【図面の簡単な説明】
【００３５】
【図１】本発明の実施の形態によるコネクタを用いた電子カードの分解組立斜視図である。
【図２】本発明の実施の形態によるコネクタの分解斜視図である。
【図３】図１のコネクタのプリント基板を示す部分平面図である。
【図４】図２のコネクタのグランド接続端子の圧入部を主に示す部分断面図である。
【図５】図５は特許文献１に示された従来の電子カードの分解斜視図である。
【図６】図５の電子カードに用いられるコネクタの斜視図である。
【図７】図６のコネクタの側面図である。
【図８】図５の電子カードの内部背面図である。
【符号の説明】
【００３６】
１  背面板
２    ハウジング
３    突出片
３ａ，３ｂ    溝
４    コンタクト
５    グランド接続端子（グランドラグ）
５ａ  圧入部
５ｂ，５ｃ    接触部
５ｄ    バネ部
５ｅ    半田付け部（実装部）
５ｆ    端子部
１０    コネクタ
２０    上カバー
２１    平面部
２２    側板
２３    平面
３０    下カバー
３１    正面板
３１ａ    窪み部
３２    側板
３４    底面部
３４ａ    台部
３５    平面部
３６    位置決め片
４０    プリント基板
４１，４２    パッド
５０    コネクタ
５１    グランド接続端子
５２，５３    曲げ部
５４    ＳＭＴ半田付け部
１０１    電子カード
１１０    電子カード
【図１】
2007048684.tif 000003
【図２】
2007048684.tif 000004
【図３】
2007048684.tif 000005
【図４】
2007048684.tif 000006
【図５】
2007048684.tif 000007
【図６】
2007048684.tif 000008
【図７】
2007048684.tif 000009
【図８】
2007048684.tif 000010